(57)【要約】【課題】布製品又はラベルの擦り減りの程度の低減に寄与するＩＣタグの取付部の構造及びＩＣタグの取付方法を提供すること。【解決手段】ＩＣタグの取付部の構造（１０）は、布製品（１２）に形成された窪み（１４）と、窪み内に配置されたＩＣタグ（１６）と、布製品に接着され、窪みを覆うラベル（１８）とを含む。窪み（１４）はその内部でのＩＣタグの遊びを許容する大きさを有する。布製品へのＩＣタグの取り付けは、布製品の一部を引き伸ばして窪みを形成し、窪み内にＩＣタグを配置し、布製品に窪みを覆うラベルを接着することにより行う。【選択図】図３
2017211470.tif 000002
【特許請求の範囲】
【請求項１】
布製品に形成された窪みと、
前記窪み内に配置されたＩＣタグと、
前記布製品に接着され、前記窪みを覆うラベルとを含み、
前記窪みは該窪み内での前記ＩＣタグの遊びを許容する大きさを有する、ＩＣタグの取付部の構造。
【請求項２】
前記ラベルは前記ＩＣタグに記録された内容の一部が印刷された面を有する、請求項１に記載のＩＣタグの取付部の構造。
【請求項３】
布製品にＩＣタグを取り付ける方法であって、
前記布製品の一部を引き伸ばし、前記布製品に前記ＩＣタグの遊びを許容する大きさを有する窪みを形成すること、
前記窪み内にＩＣタグを配置すること、
前記布製品に前記窪みを覆うラベルを接着することを含む、ＩＣタグの取付方法。
【請求項４】
布製品にＩＣタグを取り付ける方法であって、
ボルスタプレート及び加熱可能である、昇降動作可能のスライドを有するホットプレス機の前記ボルスタプレート上に、平坦面と該平坦面に開放する穴であって前記ＩＣタグの遊びを許容する大きさの穴とを有する第１の型を置くこと、
前記第１の型の平坦面上に前記布製品をその一部が前記第１の型の穴を覆うように配置すること、
前記布製品の一部上に前記第１の型の穴に嵌合可能である第２の型を配置すること、
前記ホットプレス機のスライドを下降動作させ、これにより、前記第２の型と前記布製品の一部とを第１の型の穴内に押し下げ、前記布製品の一部をこれが窪みを規定するように変形させること、
前記窪み内にＩＣタグを配置すること、
前記ホットプレス機のスライドを上昇動作させた後、前記第２の型を取り除くこと、
熱溶融型の接着剤層が設けられたラベルを前記接着剤層が前記窪みを覆うように前記布製品上に配置すること、
前記ホットプレス機の加熱されたスライドを下降動作させ、これにより前記ラベルに熱圧を加えること、
前記ホットプレス機のスライドを上昇動作させた後、前記布製品を取り除くことを含む、ＩＣタグの取付方法。
【請求項５】
前記第２の型に押圧力を及ぼすとき、前記ホットプレス機のスライドを加熱された状態におく、請求項４に記載のＩＣタグの取付方法。
【請求項６】
前記ラベルは前記ＩＣタグに記録された内容の一部が印刷された面を有する、請求項３又は４に記載のＩＣタグの取付方法。
【発明の詳細な説明】
【技術分野】
【０００１】
本発明は、布製品に取り付けられるＩＣタグの取付部の構造及び布製品にＩＣタグを取り付ける方法に関する。
【背景技術】
【０００２】
ホテル、病院等の施設において使用される大量の白衣、シーツ、枕カバー等の布製品の管理のために、個々の布製品に、管理情報が記録されたＩＣタグを取り付けることが行われている。
【０００３】
従来、布製品へのＩＣタグの取付態様として、ＩＣタグが収容された袋を布製品に縫い付けたもの（後記特許文献１参照）、あるいは、図６に示すように、布製品１００の上に置かれたＩＣタグ１０２をラベル１０４で覆いかつ該ラベルを布製品１００に接着したものが知られている。
【０００４】
図６に示された取付態様は、特許文献１記載の取付態様における袋の製造、袋内へのＩＣタグの収容、布製品への袋の縫い付け等を必要としない。このため、布製品１００へのＩＣタグ１０２の取り付けを比較的低コストでまた比較的容易に行うことが可能である。
【０００５】
ところで、図６に示された取付態様では、ＩＣタグ１０２は布製品１００とラベル１０４とに密接し、布製品１００とラベル１０４とに対して不動の状態にある。このため、ＩＣタグ１０２の外形又は輪郭が布製品１００及びラベル１０４を通してこれらの表面に浮き出る。ＩＣタグ１０２の輪郭が浮き出た箇所、特に、線状に伸びる箇所や角をなす箇所は、他の箇所に比べて他の物との擦れによる減りの程度が大きい。このため、ＩＣタグ１０２の比較的早期の再取付や、布製品の比較的早期の交換等を余儀なくされる。
【先行技術文献】
【特許文献】
【０００６】
【特許文献１】実用新案登録第３１５１１５６号公報
【発明の概要】
【発明が解決しようとする課題】
【０００７】
本発明の目的は、前記従来の実情に鑑み、布製品又はラベルの擦り減りの程度の低減に寄与するＩＣタグの取付部の構造及びＩＣタグの取付方法を提供することにある。
【課題を解決するための手段】
【０００８】
本発明に係るＩＣタグの取付部の構造は、布製品に形成された窪みと、前記窪み内に配置されたＩＣタグと、前記布製品に接着され、前記窪みを覆うラベルとを含み、前記窪みは該窪み内での前記ＩＣタグの遊びを許容する大きさを有する。前記ラベルは、好ましくは、前記ＩＣタグに記録された内容の一部が印刷された面を有する。
【０００９】
本発明によれば、ＩＣタグが布製品に形成された窪みに配置され、前記窪みが該窪み内での前記ＩＣタグの遊びを許容する大きさを有することから、前記ＩＣタグの外形又は輪郭は前記布製品又は前記ラベル上に浮き出ない。このため、前記ＩＣタグの外形又は輪郭が浮き出る前記従来のものと比べて、前記布製品又は前記ラベルの擦り減りの程度を低減することができる。
【００１０】
本発明に係る、布製品にＩＣタグを取り付ける方法は、前記布製品の一部を引き伸ばし、前記布製品に前記ＩＣタグの遊びを許容する大きさを有する窪みを形成し、前記窪み内に前記ＩＣタグを配置し、前記布製品に前記窪みを覆うラベルを接着することを含む。
【００１１】
布製品にＩＣタグを取り付ける方法は、より具体的には、ボルスタプレート及び加熱可能である、昇降動作可能のスライドを有するホットプレス機の前記ボルスタプレート上に、平坦面と該平坦面に開放する穴であって前記ＩＣタグの遊びを許容する大きさの穴とを有する第１の型を置くこと、前記第１の型の平坦面上に前記布製品をその一部が前記第１の型の穴を覆うように配置すること、前記布製品の一部上に前記第１の型の穴に嵌合可能である第２の型を配置すること、前記ホットプレス機のスライドを下降動作させ、これにより、前記第２の型と前記布製品の一部とを第１の型の穴内に押し下げ、前記布製品の一部をこれが窪みを規定するように変形させること、前記窪み内にＩＣタグを配置すること、前記ホットプレス機のスライドを上昇動作させた後、前記第２の型を取り除くこと、熱溶融型の接着剤層が設けられたラベルを該ラベルの接着剤層が前記窪みを覆うように前記布製品上に配置すること、前記ホットプレス機の加熱されたスライドを下降動作させ、これにより前記ラベルに熱圧を加えること、前記ホットプレス機のスライドを上昇動作させた後、前記布製品を取り除くことを含む。ここにおいて、好ましくは、前記第２の型に押圧力を及ぼすとき、前記ホットプレス機のスライドを加熱された状態におく。これにより、前記布製品の一部の周囲に前記スライドの押し跡を形成することができ、前記押し跡を前記ラベルの配置位置を定めるための目安とすることができる。また、前記ラベルは、好ましくは、前記ＩＣタグに記録された内容の一部が印刷された面を有する。
【図面の簡単な説明】
【００１２】
【図１】布製品及び該布製品に接着され窪みを覆うラベルを示す部分平面図。
【図２】前記ラベルの接着面の反対側から見た布製品の部分斜視図。
【図３】図１の線３−３に沿って得たＩＣタグ取付部の構造の断面図。
【図４】布製品に窪みを形成する直前の状態を示す断面図。
【図５】ＩＣタグが配置された窪みを覆うラベルを布製品に接着する直前の状態を示す断面図。
【図６】従来におけるＩＣタグ取付部の構造を示す断面図。
【発明を実施するための形態】
【００１３】
図１及び図２に参照すると、本発明の一実施形態に係るＩＣタグの取付部の構造が全体に符号１０で示されている。
【００１４】
取付部の構造１０は、布製品１２に形成された窪み１４（図３参照）と、窪み１４内に配置されたＩＣタグ１６と、布製品１２に接着され、窪み１４を覆うラベル１８とを含む。
【００１５】
取付部の構造１０の適用対象とされる布製品１２は、好ましくは、ホテル、病院等の施設において使用される白衣、シーツ、枕カバー等からなる。また、布製品１２はこれが合成繊維製であるか天然繊維製であるかを問わない。窪み１４は、布製品１２の一部１２ａを引き伸ばすことにより形成されている。窪み１４は、これを例えば白衣に設ける場合、その形成場所を袖口、襟等とすることができる。
【００１６】
ＩＣタグ１６は、布製品１２に関する情報を記録するＩＣチップ（図示せず）と、該ＩＣチップに接続されたアンテナ（図示せず）と、前記ＩＣチップ及び前記アンテナを被覆する被覆体（図示せず）とを含む。布製品１２に関する情報は、無線通信によりこれを読み取り、また、書き換えることができる。布製品１２に関する情報を読み取ることにより、当該情報を布製品１２の管理に供することができる。ＩＣタグ１６は図示の円板状の形態を有するものや、楕円形、矩形等の平面形状を有するものからなる。
【００１７】
図３に示すように、布製品１２に形成された窪み１４は、該窪み内でのＩＣタグ１６の遊びを許容する大きさを有する。図示の窪み１４は比較的扁平な切頭円錐形の空間からなる。前記切頭円錐形における互いに相対する円形の大径の底面及び小径の切頭面は、共に、ＩＣタグ１６の直径より大きい直径を有し、また、前記切頭円錐形の底面及び切頭面の相互間隔はＩＣタグ１６の厚さより大きい。このことから、ＩＣタグ１６は窪み１４内に非固定状態におかれ、窪み１４内を移動可能である。窪み１４の形状及び後述する第１の型３０の穴３６の形状は、窪み１４内でのＩＣタグ１６の遊びを許容する大きさを有するものであれば、図示の例に代えて例えば半球体形、半楕円体形、円筒形、角筒形等とすることができる。
【００１８】
窪み１４を覆うラベル１８、より詳細には窪み１４を前記切頭円錐形の底面において覆うラベル１８は、布片２０と熱溶融型の接着剤層２２とからなる。布片２０は例えばポリエステル繊維のような合成繊維製の織物や、合成繊維と綿のような天然繊維とを含む織物からなる。また、熱溶融型の接着剤層２２は、例えばウレタン、エステル、アクリル系の接着剤からなる。図示のラベル１８は正方形の平面形状を有し、また、布製品１２の窪み１４と該窪みを取り巻く周辺部分とを被覆可能である大きさを有する。但し、ラベル１８の平面形状は、これを正方形以外の形、例えば長方形、円形等とすることは任意である。
【００１９】
布片２０は表面２０ａと、該表面に相対する裏面２０ｂとを有する。布片２０の表面２０ａには、好ましくは、ＩＣタグ１６に記録された内容の一部が印刷される。熱溶融型の接着剤層２２は布片２０の裏面２０ｂにこれを覆うように塗布されたものあるいは接着されたフィルムからなる。ラベル１８は、加熱することにより溶融された接着剤層２２を介して、布製品１２の表面に接着されている。
【００２０】
なお、図示のＩＣタグ１６の大きさ、布製品１２の一部１２ａに形成された窪み１４の大きさ及びラベル１８の大きさの一例を以下に示す。ＩＣタグ１６は約１５ｍｍの直径と約１．５ｍｍの厚さ寸法とを有する。窪み１４の形状である前記切頭円錐形の底面及び切頭面の直径はそれぞれ約４０ｍｍ及び約３０ｍｍである。また、前記前記切頭円錐形の底面及び切頭面間の距離は約５ｍｍである。さらに、ラベル１８の平面形状である前記正方形の一辺の長さは約６５ｍｍである。ラベル１８については、必要に応じて、これを構成する熱溶融型の接着剤層２２の大きさを布片２０の大きさより大きいものとすることができる。例えば前記正方形の一辺の長さを約７０ｍｍ及び約６５ｍｍとすることができる。
【００２１】
ラベル１８で覆われた窪み１４内に配置されたＩＣタグ１６は遊びを許す状態に置かれ、布製品１２の一部１２ａ及びラベル１８に対して密接していない。このため、窪み１４を規定する布製品１２の一部１２ａ及びラベル１８のいずれにも、ＩＣタグ１６の外形又は輪郭が浮き出る現象は、瞬間的又は一時的な場合を除いて、生じない。このことから、前記従来において生じていたＩＣタグの輪郭の浮き出し箇所の洗濯時における他の布製品との擦れ合い、使用時における他の物品との擦れ合い等の機会及びこれに伴う擦り減りの程度を低減することができる。
【００２２】
ＩＣタグ１６は、次のようにして、布製品１２に取り付けることができ、また、これによりＩＣタグ１６の取付部の構造１０を形成することができる。
【００２３】
図４を参照すると、布製品１２へのＩＣタグ１６の取り付けに用いられるホットプレス機２４の一部が示されている。ホットプレス機２４は、ボルスタプレート２６及び昇降動作可能のスライド２８を備える。また、ホットプレス機２４は加熱装置（図示せず）を備え、スライド２８は前記加熱装置により加熱可能とされている。
【００２４】
布製品１２へのＩＣタグ１６の取り付けに当たり、まず、ボルスタプレート２６上に、第１の型３０を置く。図示の第１の型３０は正方形の平面形状を有する扁平なブロックからなり、シリコン（ケイ素）で形成されている。第１の型３０は、互いに相対する２つの平坦面３２、３４と、両平坦面３２、３４に直交して伸びかつ両平坦面３２、３４においてそれぞれ開放する穴３６とを有する。穴３６は、図示の貫通穴に代えて、一方の平坦面３２にのみ開放する有底の穴とすることができる。第１の型３０の穴３６はＩＣタグ１６の遊びを許容する大きさを有する。図示の穴３６は、布製品１２の窪み１４の形状である前記切頭円錐形よりわずかに大きい、該切頭円錐形と相似の関係にある切頭円錐形の形状を有する。
【００２５】
次に、第１の型３０の平坦面３２上に布製品１２をその一部１２ａが第１の型３０の穴３６を覆うように配置する。次いで、布製品１２の一部１２ａ上に第２の型３８を配置する。第２の型３８は、第１の型３０の穴３６に嵌合可能である外形を有する。図示の第２の型３８は、第１の型３０の穴３６の形状と相似の関係にある前記切頭円錐形のブロックからなる。
【００２６】
第２の型３８の設置後、ホットプレス機２４のスライド２８をボルスタプレート２６に向けて下降動作させて第２の型３８に押圧力を及ぼし、第２の型３８と布製品１２の一部１２ａとを第１の型３０の穴３６内に押し下げる。これに伴い、布製品１２の一部１２ａが第１の型３０と第２の型３８との間に挟まれ、引き伸ばされる。その結果、布製品１２の一部１２ａが前記切頭円錐形の窪み１４（図５）を規定するように変形する。
【００２７】
このとき、好ましくは、下降動作されるスライド２８を例えば１７０〜１９０℃の温度に加熱された状態にしておく。加熱されたスライド２８は、これが布製品１２を押圧するとき、布製品１２の一部１２ａの周囲に、第１の型３０の平坦面３２の輪郭に沿って伸びる押し跡を形成する。前記押し跡は、後に窪み１４を覆うように布製品１２上に置かれるラベル１８の位置決めのための目安とすることができる。
【００２８】
その後、ホットプレス機２４のスライド２８を上昇動作させ、第２の型３８を取り除く。第２の型３８の除去後、布製品１２の一部１２ａが規定する窪み１４内にＩＣタグ１６を置く。図示の例にあってはＩＣタグ１６を前記切頭円錐形の切頭面上に水平に置く。次いで、ラベル１８をその接着剤層２２が布製品１２の一部１２ａすなわち窪み１４を覆うように布製品１２上に配置する（図５参照）。
【００２９】
次に、ホットプレス機２４の加熱されたスライド２８を下降動作させる。これにより、スライド２８をラベル１８の布片２０に押し当て、ラベル１８に熱圧を加える。前記熱圧の大きさ及び付与時間は、例えば１７０〜１９０℃の温度及び１．０〜１．５Ｋｇ／ｃｍ２の加圧力並びに１０〜１５秒間とする。
【００３０】
その結果、ラベル１８が、熱溶融した接着剤層２２において、布製品１２の窪み１４の周囲部分に接着され、布製品１２へのＩＣタグ１６の取り付けが完了する。その後、スライド２８を上昇動作させ、ＩＣタグ１６が取り付けられた布製品１２を第１の型３０上から取り除く。前記したように、布製品１２へのＩＣタグ１６の取り付けは、連続した一連の操作又は作業をもって行うことが可能である。
【符号の説明】
【００３１】
１０  ＩＣタグの取付部の構造
１２  布製品
１２ａ  布製品の一部
１４  窪み
１６  ＩＣタグ
１８  ラベル
２０、２２  ラベルの布片及び接着剤層
２４  ホットプレス機
２６、２８  ホットプレス機のボルスタプレート及びスライド
３０、３６  第１の型及びその穴
３８  第２の型
【図１】
2017211470.tif 000003
【図２】
2017211470.tif 000004
【図３】
2017211470.tif 000005
【図４】
2017211470.tif 000006
【図５】
2017211470.tif 000007
【図６】
2017211470.tif 000008